(57)【要約】 【課題】  非常時には、刺股として利用でき、通常時には、スーツハンガー，花台，玉入れの支持棒等の刺股以外の用途で利用できる刺股を提供する。【解決手段】  柄部１の先端にアーム２が設置されており、アーム２は、固定台４に着脱可能に取り付けられている。また、柄部１の中間部分には、係止部材５が設置されている。【選択図】  図１
2006349261.tif 000002
【特許請求の範囲】
【請求項１】
棒状の柄部、及び該柄部の先端に設置され先端方向が二手に分かれたアームを有する刺股と、
この刺股を前記アームを下向きにして着脱可能に保持する固定台と
を有することを特徴とする刺股ユニット。
【請求項２】
前記刺股の前記柄部は、少なくとも１つの係止部が設置されていることを特徴とする請求項１記載の刺股ユニット。
【請求項３】
前記柄部は、端末電池を有し、前記固定台は、前記アーム部が前記固定台に係合しているときに前記端末電池を充電する機能を有することを特徴とする請求項２記載の刺股ユニット。
【請求項４】
前記アーム部と前記固定台を接合した状態にロックするロック機構と、
複数のスイッチボタンと、
前記複数のスイッチボタンが予め設定された入力順で押下されたときのみ前記ロック機構を解除するロック解除手段と、
を有することを特徴とする請求項３記載の刺股ユニット。
【請求項５】
前記アームと前記固定台を接合した状態にロックするロック機構と、
特定の人間のみを識別する人物認証システムと、
前記人物認証システムに予め設定した人間がアクセスしたときのみ前記ロック機構を解除する人物認証手段と
を特徴とする請求項３記載の刺股ユニット。
【請求項６】
前記アームの分岐部分から催涙ガスが噴出るように設置されている催涙ガス噴出手段と、
前記催涙ガス噴出手段をＯＮまたはＯＦＦにするスイッチボタンと
を有することを特徴とする請求項３記載の刺股ユニット。
【請求項７】
前記アームの全体もしくは一部分に高圧放電を行う手段と、
前記高圧放電を行う手段をＯＮまたはＯＦＦにするスイッチボタンと
を有することを特徴とする請求項３記載の刺股ユニット。
【請求項８】
前記アームおよび前記柄部の少なくとも１箇所には小孔が形成され、
前記小孔から突出可能な針と、
前記針を突出させる手段と、
前記針を突出させる手段をＯＮまたはＯＦＦにするスイッチボタンと
を有することを特徴とする請求項３記載の刺股ユニット。
【請求項９】
前記柄部に内蔵され外部の通信手段に信号を発信する通報手段と、
前記通報手段をＯＮまたはＯＦＦにするスイッチボタンと
を有することを特徴とする請求項３記載の刺股ユニット。
【請求項１０】
前記柄部または前記固定台に内蔵される警報ブザー警鐘手段を有することを特徴とする請求項３記載の刺股ユニット。
【発明の詳細な説明】
【技術分野】
【０００１】
本発明は、犯罪者や暴漢等を制圧する際に用いる刺股に関する。
【背景技術】
【０００２】
従来より、犯罪者や暴漢等を制圧する手段として、棒状の柄部の先端に取り付けられたＵ字型アームを被制圧者に押し当てて使用する刺股が知られている。特許文献１に開示されているものは、被制圧者を取り押さえた後、Ｕ字型アームに設置されたロープで被制圧者を捕獲できる仕組みになっている。
【特許文献１】特開２００４−２６４０１４、０００４〜０００５、図２
【発明の開示】
【発明が解決しようとする課題】
【０００３】
しかしながら、従来の刺股では、緊急使用時以外の用途がなく、邪魔である。本発明は、このような点に鑑みてなされたもので、緊急使用時以外では刺股を安全に収納することができる刺股ユニットを提供することを目的とする。
【課題を解決するための手段】
【０００４】
本発明による刺股ユニットは、棒状の柄部、及び該柄部の先端に設置され先端方向が二手に分かれたアームを有する刺股と、この刺股を前記アームを下向きにして着脱可能に保持する固定台とを有することを特徴とする。
【発明の効果】
【０００５】
本発明によれば、犯罪者や暴漢等を制圧する際に用いる時以外は刺股を固定台に保持して固定収納でき、また、緊急時には固定台から刺股を取り外して使用できる。
【発明を実施するための最良の形態】
【０００６】
以下、添付の図面を参照して、本発明の実施の形態を説明する。
【０００７】
図１は、本発明の第１の実施形態に係る刺股ユニット１０の構成を示す斜視図である。刺股ユニット１０は、棒状の柄部１及び柄部１の一端に設置され先端方向が二手に分かれているアーム２からなる刺股３と、アーム２を下向きにした状態で刺股３と着脱可能に接合する固定台４とからなる。
【０００８】
通常時は、刺股３をアーム２を下に向けた状態で固定台４に固定して保管し、緊急時には、固定台４から刺股３を取り出し、刺股３を用いて暴漢や泥棒等を制圧することができる。
【０００９】
これにより、通常時は安全に刺股３を収納することが可能となる。防犯のために幼稚園や小学校に刺股ユニット１０を設置する場合も、アーム２が固定台４によって保護されているため、通常時に園児や生徒がアーム２にぶつかって怪我をすることを防ぐことができる。
【００１０】
図２は、本発明の第２の実施形態に係る刺股ユニット１０aの構成を示す斜視図である。刺股ユニット１０aは、柄部１の長さ方向中間部分に係止部材５が取り付けられている。係止部材５は、柄部１の円周方向に複数接合され、アーム２を有しない先端方向を上向きに設置された複数のフックである。
【００１１】
次に、このように構成された本実施形態に係る刺股ユニット１０aの動作について説明する。普段、刺股３を利用しないときは、アーム２を下向きにした状態で固定台４に収納保持する。柄部１の中間部分に設置されている係止部材５は、アーム２が下向きに収納保持されているときは、コート，帽子，かばんなどをかけることができるハンガーとして使用する。また、緊急時には固定台４からアーム２を取り外し、刺股３として利用することができるが、係止部材５は、柄部１の中間部分に設置されているため図３のように刀の鍔の役目を果たし、手が滑ることを防止することができる。
【００１２】
このように構成された刺股ユニット１０aの効果について説明する。刺股は、一般的に緊急使用時よりも、保管されている時間の方が長い。本実施例のように、保管時にもコートハンガーとして使用し、保管時でも刺股３を有効利用することができる。また、刺股は、倉庫などに保管しておくと緊急時に取り出すのに時間がかかるが、玄関などにコートハンガーとして設置することができるため強盗や暴漢が侵入してきた緊急時にも素早く対応することが可能である。更に、コートハンガーのフックとして利用される係止部材５は、刺股３として使用する際には、刀の鍔の役割を果たすため、手が滑らない。例えば、係止部材５を柄部１の長さ方向に２箇所設置することで、刺股３として使用する際に右手と左手を両方固定することができる。
【００１３】
また、本実施例では、通常時の使用をコートハンガーとしたが、係止部材５に造花等を飾って花台に利用したり、図４のように、遊戯用の玉入れの籠６を柄部１の先端部に設置し、ネジなどの係止部材６ａを用いて固定することで玉入れ籠の支持体としても利用できる。玉入れの支持体として刺股ユニット１０ａを用いる際には、固定台４を安定性の高いものに取り替えて使用する。
【００１４】
図５は、本発明の第３の実施形態に係る刺股ユニット１０ｂである。刺股３には、端末電池７が内蔵され、アーム２が固定台４に設置されているときは、固定台４がコンセント８から電力を取り入れ、端子２ａ，２ｂを介して刺股３が有する端末電池７を充電する。これによって、刺股３に電力で動作する機能を付加させることができる。また、コンセントは邪魔にならないように、固定台４から取り外すことも可能である。
【００１５】
図６は、本発明の第４の実施形態に係る刺股ユニット１０ｃの構成を示す斜視図である。操作者側の柄部１に、複数のスイッチボタン９ａ，９ｂ，９ｃを設置し、アーム２と固定台４を接合している部分には、アーム２を固定台４にロックするロック部材１１を設置する。複数のスイッチ９ａ〜９ｃは、電気的にロック部材１１に接続されており、設定された順番でスイッチを選択すると、ロック部材１１のロック状態が解除される。普段は、ロック部材１１はロック状態であるが、緊急時に刺股３を使用したいときは、予め設定された順番（例えば９ｂ→９ａ→９ｂ）にスイッチを押すと、図示しないロック解除装置がロック部材１１をロック解除して、アーム２は固定台４より取り外すことができ、刺股３として使用することができる。近年、刺股は幼稚園や小学校などに防犯のため設置されるが、この暗証番号認識機能を付加させることにより、園児や生徒などがいたずらしても刺股３は固定台４から容易に抜けず、誤って怪我をする恐れがない。
【００１６】
図７は、本発明の第５の実施形態に係る刺股ユニット１０ｄである。刺股３と固定台４を接合した状態にロックするロック部材１１と、人物認証装置１２を設置する。人物認証装置１２は、固定部４に内蔵されロック部材１１と電気的に接続している受信部１２ａと、特定の人物が所持するＩＣタグ１２ｂからなる。
【００１７】
刺股ユニット１０ｄにＩＣタグ１２ｂを所持する人間が近づくと、受信部１２ａがロック部材１１を解除し、固定台４から刺股３が外れる。
【００１８】
刺股ユニット１０ｄを幼稚園や小学校などに設置する場合、先生等のみがＩＣタグ１２ｂを所持することで、園児や生徒などが刺股ユニット１０ｄをいたずらしても固定台から容易に抜けず誤って怪我をすることがない。また、セキュリティ機能を更に向上するために、ロック解除装置と人物認証装置を併用してもよい。
【００１９】
図８は、本発明の第６の実施形態に係る刺股ユニット１０ｅである。柄部１には、開閉可能な収納ボックス１３の中に、催涙ガススプレー缶１４が設置されている。催涙ガススプレー缶１４から噴出される催涙ガス１５は、アーム２の分岐部分に設置されている催涙ガス噴出孔１６から噴射される。また、この催涙ガス噴出機能は、柄部１の操作者側に設置されたスイッチボタン１７ａによってＯＮまたはＯＦＦに設定することができる。この催涙ガス噴出機能を用いることで、緊急時に刺股３を利用したとき、被制圧者を催涙ガスの効果で無抵抗化させることができる。
【００２０】
図９は、本発明の第７の実施形態に係る刺股ユニット１０ｆである。柄部１には、スタンガン１８が内蔵されており、アーム２の付け根部分から、スタンガン１８の電極部分が突出している。人体等がこの電極に触れることで、スタンガン１８により高圧放電される。この高圧放電を発生させる機能は、柄部１の操作者側に設置されたスイッチ１７ｂによってＯＮまたはＯＦＦに設定することができる。操作者が緊急時に刺股３を用いて、犯罪者や暴漢を抑圧する際は、スイッチ１７ｂを操作してスタンガン機能をＯＮにすることで、被制圧者を無抵抗状態にすることができる。また、スタンガンは腹部や脇腹への接触が有効であるため、胴部分に押し当てて用いる刺股の使用箇所と一致し、有効に被制圧者に作用することができる。
【００２１】
図１０は、本発明の第８の実施形態に係る刺股ユニット１０ｇを示す図で、同図（ａ）は斜視図、同図（ｂ）は要部の拡大図である。柄部１のアーム２側とアーム２全体には、円周上に針が突出する小さな針孔１９が複数設置され、各針孔１９から針２０が出るようになっている。この針突出手段は、アーム２と柄部１の反対の端に設置してあるスイッチ１７ｃによってＯＮまたはＯＦＦに設定することができる。操作者が、犯罪者や暴漢をこの刺股を用いて抑圧する際は、スイッチ１７ｃを操作して針突出手段をＯＮにし、被抑圧者がアーム２を掴むことを防ぐことができる。
【００２２】
図１１は、本発明の第９の実施形態に係る刺股ユニット１０ｈである。柄部１に、ワイヤレス通信装置２１を内蔵している。ワイヤレス通信装置２１は、ＰＨＳや携帯電話等で、予め設定した連絡先や、警察や警備会社へ通報する機能を有している。また、この通報機能は、柄部１の操作者側に設置されたスイッチ１７ｄによってＯＮまたはＯＦＦに設定することができる。このワイヤレス通信機能は、ＰＨＳや携帯電話の代わりに、例えばＮＴＴ東日本の「ＰＣ−ワイヤレス子機」と「ＰＣ−１１０通報装置」を用いて実施することができる。その場合、刺股３又は固定台４に「ＰＣ−ワイヤレス子機」を内蔵し、固定台４または刺股ユニット１０ｈを設置する建物に「ＰＣ−１１０通報装置」配置する。この通報機能によって、緊急時に外部の人間に緊急事態を知らせ、助けを呼ぶことができる。
【００２３】
図１２は、本発明の第１０の実施形態に係る刺股ユニット１０ｉである。固定台４に警報ブザー２２を内蔵し、刺股３が固定台４から取り外されたときに、自動で警報ブザーを警鐘する。この警報機能により、周囲の人間に緊急事態を知らせ、被制圧者を威嚇することができる。
【００２４】
本実施例では、スイッチ１７ａ〜１７ｄを柄部１の柄の部分に設置しているが、図１３のように柄部１の操作者側の端に設置することも可能である。
【００２５】
また、複数の機能を組み合わせることで、より防犯性の高い刺股を提供することができる。
【００２６】
また、本実施例では、アーム２をＵ字状のものとしているが、Ｖ字状でもその他二股に分かれているアームを有する刺股にも本発明を実施することができる。
【図面の簡単な説明】
【００２７】
【図１】本発明の実施形態に係る刺股ユニットの構成を示す斜視図である。
【図２】他の実施形態に係る刺股ユニットの構成を示す斜視図である。
【図３】この刺股ユニットの一部拡大図である。
【図４】更に他の実施形態に係る刺股ユニットの構成を示す斜視図である。
【図５】更に他の実施形態に係る刺股ユニットの構成を示す斜視図である。
【図６】更に他の実施形態に係る刺股ユニットの構成を示す斜視図である。
【図７】更に他の実施形態に係る刺股ユニットの構成を示す斜視図である。
【図８】更に他の実施形態に係る刺股ユニットの構成を示す斜視図である。
【図９】更に他の実施形態に係る刺股ユニットの構成を示す斜視図である。
【図１０】更に他の実施形態に係る刺股ユニットの構成を示す斜視図である。
【図１１】更に他の実施形態に係る刺股ユニットの構成を示す斜視図である。
【図１２】更に他の実施形態に係る刺股ユニットの構成を示す斜視図である。
【図１３】更に他の実施形態に係る刺股ユニットの構成を示す斜視図である。
【符号の説明】
【００２８】
１…柄部、２…アーム、３…刺股、４…固定台、５…係止部材、６…玉入れ用籠、７…端末電池、８…コンセント、９，１７…スイッチ、１０…刺股ユニット、１１…ロック部材、１２…人物認証装置、１３…収納ボックス、１４…催涙ガススプレー缶、１５…催涙ガス、１６…催涙ガス噴出孔、１８…スタンガン、１９…針孔、２０…針、２１…ワイヤレス通信装置、２２…警報ブザー。
【図１】
2006349261.tif 000003
【図２】
2006349261.tif 000004
【図３】
2006349261.tif 000005
【図４】
2006349261.tif 000006
【図５】
2006349261.tif 000007
【図６】
2006349261.tif 000008
【図７】
2006349261.tif 000009
【図８】
2006349261.tif 000010
【図９】
2006349261.tif 000011
【図１０】
2006349261.tif 000012
【図１１】
2006349261.tif 000013
【図１２】
2006349261.tif 000014
【図１３】
2006349261.tif 000015